(57)【要約】 【課題】アナログ回路部のオフセット調整を短時間且つ一度で済ますことにより再生時の装置の応答性を向上させること。【解決手段】制御回路１０は、ゲインコントロール回路８が最大ゲインの時に、この回路８の出力信号に含まれるオフセット電圧がディジタル補正部１６のダイナミックレンジ内の目標電圧となるようなオフセット調整電圧をオフセット調整回路１２より発生させ、加算回路６により演算回路４からの制御信号に加算してオフセットを調整するが、回路８の出力に残るオフセット電圧はディジタル補正部１６により補正される。アナログ回路の電気的オフセットを全てキャンセルするのではなく、ディジタル補正部１６で補正可能な範囲までオフセット調整を行うことにより、オフセット調整を短時間且つ一度で済ますことができ、再生時の装置の応答性を向上させることができる。【選択図】図１  
2005092999.tif 000002
【特許請求の範囲】
【請求項１】
光ピックアップから出力される信号から生成した制御信号の振幅レベルを調整するゲインコントロール回路と、前記ゲインコントロール回路の出力信号に含まれるオフセット電圧をキャンセルするオフセット補正手段とを有する光ディスク再生装置であって、
前記ゲインコントロール回路の出力信号に含まれるオフセット電圧を調整するオフセット調整手段を具備し、
前記オフセット調整手段は、前記ゲインコントロール回路が最大ゲインの時に、このゲインコントロール回路の出力信号に含まれるオフセット電圧が前記オフセット補正手段のダイナミックレンジ内の目標電圧となるようなオフセット調整電圧を生成するオフセット調整電圧生成手段と、
前記生成されたオフセット調整電圧を前記制御信号或いは前記光ピックアップから出力される信号のいずれか一方に加算する加算手段とを有することを特徴とする光ディスク再生装置。
【請求項２】
前記オフセット補正手段は、前記ゲインコントロール回路の出力信号をディジタル変換して得たディジタル信号に対してオフセット補正処理を行うことを特徴とする請求項１記載の光ディスク再生装置。
【請求項３】
光ピックアップから出力される信号から生成した制御信号の振幅レベルを調整するゲインコントロール回路と、前記振幅レベルが調整された制御信号を増幅する固定ゲインの増幅回路と、前記固定ゲインの増幅回路の出力信号に含まれるオフセット電圧をキャンセルするオフセット補正手段とを有する光ディスク再生装置であって、
前記ゲインコントロール回路の出力信号に含まれるオフセット電圧を調整するオフセット調整手段を具備し、
前記オフセット調整手段は、前記ゲインコントロール回路が最大ゲインの時に、前記固定ゲインの増幅回路の出力信号に含まれるオフセット電圧が前記オフセット補正手段のダイナミックレンジ内の目標電圧となるようなオフセット調整電圧を生成するオフセット調整電圧生成手段と、
前記生成されたオフセット調整電圧を前記制御信号或いは前記光ピックアップから出力される信号のいずれか一方に加算する加算手段とを有し、
且つ、前記固定ゲインの増幅回路は、この増幅回路のオフセット電圧が前記目標電圧の絶対値よりも小さい仕様のものであることを特徴とする光ディスク再生装置。
【請求項４】
前記オフセット補正手段は、前記固定ゲインの増幅回路の出力信号をディジタル変換して得たディジタル信号に対してオフセット補正処理を行うことを特徴とする請求項３記載の光ディスク再生装置。
【請求項５】
信号の振幅レベルを調整するゲインコントロール回路を最終段とするアナログ回路部と、このアナログ回路部により出力されたアナログ信号に含まれるオフセット電圧をキャンセルするオフセット補正手段とを有する回路系におけるオフセット調整方法であって、
前記ゲインコントロール回路が最大ゲインの時に、前記アナログ回路部から出力されるオフセット電圧が前記オフセット補正手段のダイナミックレンジ内の目標電圧になるように前記アナログ回路部のオフセット調整を行うことを特徴とするオフセット調整方法。
【請求項６】
信号の振幅レベルを調整するゲインコントロール回路と、このゲインコントロール回路の出力側に接続された固定ゲインの増幅回路を最終段とするアナログ回路部と、このアナログ回路部により出力されたアナログ信号に含まれるオフセット電圧をキャンセルするオフセット補正手段とを有する回路系におけるオフセット調整方法であって、
前記ゲインコントロール回路が最大ゲインの時に、前記アナログ回路部から出力されるオフセット電圧が前記オフセット補正手段のダイナミックレンジ内の目標電圧になるように前記アナログ回路部のオフセット調整を行ない且つ、前記固定ゲインの増幅回路としてこの増幅回路が持つ固有のオフセット電圧が前記目標電圧の絶対値より小さい増幅回路を使用することを特徴とするオフセット調整方法。
【請求項７】
前記オフセット調整は、オフセット調整電圧を前記ゲインコントロール回路の入力段に加算して行うことを特徴とする請求項５または６記載のオフセット調整方法。
【請求項８】
前記オフセット調整は、オフセット調整電圧をゲインコントロール回路よりも前段にある回路の入力段に加算して行うことを特徴とする請求項５または６記載のオフセット調整方法。
【請求項９】
前記オフセット補正手段は、前記アナログ回路部の出力信号をディジタル変換して得たディジタル信号に対してオフセット補正処理を行うことを特徴とする請求項５または６記載のオフセット調整方法。
【発明の詳細な説明】
【技術分野】
【０００１】
本発明は、光ディスク再生装置に係り、特に光ピックアップの出力信号再生系のオフセット調整方法に関する。
【背景技術】
【０００２】
従来より、光ディスク再生装置においては、光ディスクの種類や光学系の経時変化等で光ピックアップからの信号レベルが大きく変動するため、光ピックアップの出力信号再生系のオフセット調整が行われている。
【０００３】
図８は、このようなオフセット調整やゲイン調整を行う従来の光ディスク再生装置の構成例を示すブロック図である。光ディスク再生装置は、光ピックアップ２、演算処理回路４、加算回路６、ゲインコントロール回路８、制御回路１０、オフセット調整回路１２を有している。
【０００４】
ディスク再生時、演算処理回路４は、光ピックアップ２で拾った信号より、サーボをかけるのに必要なフォーカスエラー信号等のサーボエラー信号や、ディフェクト信号等を検出するＲＦＤＣ信号等の制御信号を生成する。これら制御信号は加算回路６でオフセット調整電圧を加算されてゲインコントロール回路８に入力されて振幅レベルが調整された後、図示されない次段に出力される。
【０００５】
上記のようなディス再生を行う前の電源投入時などに、制御回路１０は光ピックアップ２内部のフォトディテクタ回路（図示せず）、演算処理回路４及びゲインコントロール回路８の電気的オフセット電圧をキャンセルするオフセット調整電圧をオフセット調整回路１２より生成し、これを加算回路６で前記制御信号に加算することによりオフセット調整を行う。
【０００６】
図８に示した光ディスク再生装置の構成例では、以下のような方法でゲイン調整及びオフセット調整を行っている。まず、光ピックアップ２の図示されないサーボ系をオフし、ゲインコントロール回路８からの出力レベルと予め設定された基準レベルとの差を制御回路１０により検出し、その差（オフセット電圧）に対応するオフセット調整電圧をオフセット調整回路１２より発生した加算回路６で演算増幅器４の出力制御信号に加算してキャンセルする。その後、演算処理回路４から出力される制御信号が最適振幅レベルになるようにゲインコントロール回路８のゲイン調整を行う。
【０００７】
しかし、光ピックアップ２に含まれるフォトディテクタ回路（図示せず）及び演算処理回路４に電気的なオフセットがあるため、オフセット調整後にゲインコントロール回路８でゲイン調整を行うと出力オフセットが変動してしまう。それ故、ゲインコントロール回路８によりゲイン調整を行う度にオフセット調整を行う必要があり、この調整に時間をとられてしまい、光ディスク再生装置の応答性が悪化するという問題があった。
【０００８】
そこで、この問題を解決するために、ゲインコントロール回路８を第１のゲインＧｌに設定したときのオフセットＶｏｆｆｌと第２のゲインＧ２に設定したときのオフセットＶｏｆｆ２を計測し、（Ｖｏｆｆ１−Ｖｏｆｆ２）／（Ｇ１−Ｇ２）という演算を行って、光ピックアップ２からゲインコントロール回路８までのトータルのオフセットを求め、これをオフセット調整電圧として用いることにより、ゲインコントロール回路８のゲインを変化させても以降オフセット調整を行う必要を無くすことができる公知例がある（例えば特許文献１参照）。
【特許文献１】特開２０００−２８５４８０号公報  （第３−５頁、第１−２図）
【発明の開示】
【発明が解決しようとする課題】
【０００９】
しかしながら、従来の後者のオフセット調整方法ではゲインコントロール回路８のゲイン変動時のオフセット調整を無くすことができるが、それでもフォーカス誤差信号にオフセットが残ってしまうため、これをキャンセルするための第２のオフセット調整を行わなければならない。しかも、最初のオフセット調整を行うのにゲインコントロール回路８の２つのゲイン点におけるオフセット電圧の計測を行わなければならず、オフセット調整が簡単でないという問題もある。
【００１０】
本発明は前記事情に鑑み案出されたものであって、本発明の目的は、アナログ回路部のオフセット調整を簡単且つ一度で済ますことにより再生時の装置の応答性を向上させることができる光ディスク再生装置及びオフセット調整方法を提供することにある。
【課題を解決するための手段】
【００１１】
本発明は上記目的を達成するため、光ピックアップから出力される信号から生成した制御信号の振幅レベルを調整するゲインコントロール回路と、前記ゲインコントロール回路の出力信号に含まれるオフセット電圧をキャンセルするオフセット補正手段とを有する光ディスク再生装置であって、前記ゲインコントロール回路の出力信号に含まれるオフセット電圧を調整するオフセット調整手段を具備し、前記オフセット調整手段は、前記ゲインコントロール回路が最大ゲインの時に、このゲインコントロール回路の出力信号に含まれるオフセット電圧が前記オフセット補正手段のダイナミックレンジ内の目標電圧となるようなオフセット調整電圧を生成するオフセット調整電圧生成手段と、前記生成されたオフセット調整電圧を前記制御信号或いは前記光ピックアップから出力される信号のいずれか一方に加算する加算手段とを有することを特徴とする。
【００１２】
このように本発明の光ディスク再生装置では、光ピックアップからゲインコントロール回路までの電気的なオフセットを、ゲインコントロール回路の出力信号に含まれるオフセット電圧が前記オフセット補正手段のダイナミックレンジ内の目標電圧となるようなオフセット調整電圧を発生して調整すれば、以降、ゲインコントロール回路のゲインを変化させても、必ずゲインコントロール回路の出力信号に含まれるオフセット電圧は前記目標電圧範囲内に入るため、ゲイン変化後のゲインコントロール回路から出力されるオフセット電圧はオフセット補正手段のダイナミックレンジ内となる。それ故、オフセット補正手段はゲインコントロール回路のゲインに拘らず、この回路から出力されるオフセット電圧を支障なくキャンセルすることができる。このように、光ピックアップからゲインコントロール回路までの電気的オフセットを全てキャンセルするのではなく、オフセット補正手段で補正可能な範囲までに電気的オフセットを抑えるオフセット調整を行うことにより、光ピックアップからゲインコントロール回路までの電気的なオフセットを一度調整すれば、その後、ゲインコントロール回路のゲインが変化しても、電気的なオフセットを調整する必要がなくなり、光ディスク再生装置の応答性を向上させることができると共に、前記一度のオフセット調整も簡単に行うことができる。
【００１３】
また、本発明は、光ピックアップから出力される信号から生成した制御信号の振幅レベルを調整するゲインコントロール回路と、前記振幅レベルが調整された制御信号を増幅する固定ゲインの増幅回路と、前記固定ゲインの増幅回路の出力信号に含まれるオフセット電圧をキャンセルするオフセット補正手段とを有する光ディスク再生装置であって、前記ゲインコントロール回路の出力信号に含まれるオフセット電圧を調整するオフセット調整手段を具備し、前記オフセット調整手段は、前記ゲインコントロール回路が最大ゲインの時に、前記固定ゲインの増幅回路の出力信号に含まれるオフセット電圧が前記オフセット補正手段のダイナミックレンジ内の目標電圧となるようなオフセット調整電圧を生成するオフセット調整電圧生成手段と、前記生成されたオフセット調整電圧を前記制御信号或いは前記光ピックアップから出力される信号のいずれか一方に加算する加算手段とを有し、且つ、前記固定ゲインの増幅回路は、この増幅回路のオフセット電圧が前記目標電圧の絶対値よりも小さい仕様のものであることを特徴とする。
【００１４】
このように本発明の光ディスク再生装置では、光ピックアップから固定ゲインの増幅回路までの電気的なオフセットを、固定ゲインの増幅回路の出力信号に含まれるオフセット電圧が前記オフセット補正手段のダイナミックレンジ内の目標電圧となるようなオフセット調整電圧を発生して調整し且つ、この増幅回路固有のオフセット電圧を前記目標電圧の絶対値よりも小さくなる仕様の固定ゲインの増幅回路を用いれば、以降、ゲインコントロール回路のゲインを変化させても、必ず固定ゲインの増幅回路の出力信号に含まれるオフセット電圧は前記目標電圧範囲内に入るため、ゲイン変化後の固定ゲインの増幅回路から出力されるオフセット電圧はオフセット補正手段のダイナミックレンジ内でとなる。それ故、オフセット補正手段はゲインコントロール回路のゲインに拘らず、固定ゲインの増幅回路から出力されるオフセット電圧を支障なくキャンセルすることができる。このように、光ピックアップから固定ゲインの増幅回路までの電気的オフセットを全てキャンセルするのではなく、オフセット補正手段で補正可能な範囲までに電気的オフセットを抑えるオフセット調整を行うことにより、光ピックアップから固定ゲインの増幅回路までの電気的なオフセットを一度調整すれば、その後、ゲインコントロール回路のゲインが変化しても、電気的なオフセットを調整する必要がなくなるため、光ディスク再生装置の応答性を向上させることができると共に、前記一度のオフセット調整も簡単に行うことができる。
【００１５】
また、本発明は、信号の振幅レベルを調整するゲインコントロール回路を最終段とするアナログ回路部と、このアナログ回路部により出力されたアナログ信号に含まれるオフセット電圧をキャンセルするオフセット補正手段とを有する回路系におけるオフセット調整方法であって、前記ゲインコントロール回路が最大ゲインの時に、前記アナログ回路部から出力されるオフセット電圧が前記オフセット補正手段のダイナミックレンジ内の目標電圧になるように前記アナログ回路部のオフセット調整を行うことを特徴とする。
【００１６】
このように本発明のオフセット調整方法では、アナログ回路部に含まれる電気的なオフセットを、このアナログ回路部の出力信号に含まれるオフセット電圧が前記オフセット補正手段のダイナミックレンジ内の目標電圧となるようなオフセット調整電圧を発生して調整すれば、以降、ゲインコントロール回路のゲインを変化させても、必ずアナログ回路部の出力信号に含まれるオフセット電圧は前記目標電圧範囲内に入るため、ゲイン変化後のアナログ回路部から出力されるオフセット電圧はオフセット補正手段のダイナミックレンジ内となる。それ故、オフセット補正手段はゲインコントロール回路のゲインに拘らず、アナログ回路部から出力されるオフセット電圧を支障なくキャンセルすることができる。このように、アナログ回路部の電気的オフセットを全てキャンセルするのではなく、オフセット補正手段で、補正可能な範囲までに電気的オフセットを抑えるオフセット調整を行うことにより、アナログ回路部の電気的なオフセットを一度調整すれば、その後、ゲインコントロール回路のゲインが変化しても、電気的なオフセットを調整する必要がなくなるため、前記回路系の応答性を向上させることができると共に、前記一度のオフセット調整も簡単に行うことができる。
【００１７】
また、本発明は、信号の振幅レベルを調整するゲインコントロール回路と、このゲインコントロール回路の出力側に接続された固定ゲインの増幅回路を最終段とするアナログ回路部と、このアナログ回路部により出力されたアナログ信号に含まれるオフセット電圧をキャンセルするオフセット補正手段とを有する回路系におけるオフセット調整方法であって、前記ゲインコントロール回路が最大ゲインの時に、前記アナログ回路部から出力されるオフセット電圧が前記オフセット補正手段のダイナミックレンジ内の目標電圧になるように前記アナログ回路部のオフセット調整を行ない且つ、前記固定ゲインの増幅回路としてこの増幅回路が持つ固有のオフセット電圧が前記目標電圧の絶対値より小さい増幅回路を使用することを特徴とする。
【００１８】
このように本発明のオフセット調整方法では、アナログ回路部に含まれる電気的なオフセットを、このアナログ回路部の出力信号に含まれるオフセット電圧が前記オフセット補正手段のダイナミックレンジ内の目標電圧となるようなオフセット調整電圧を発生して調整し且つ、固定ゲインの増幅回路固有のオフセット電圧を前記目標電圧の絶対値よりも小さくなる仕様のものにすれば、以降、ゲインコントロール回路のゲインを変化させても、必ずアナログ回路部の出力信号に含まれるオフセット電圧は前記目標電圧範囲内に入るため、ゲイン変化後のアナログ回路部から出力されるオフセット電圧はオフセット補正手段のダイナミックレンジ内となる。それ故、オフセット補正手段はゲインコントロール回路のゲインに拘らず、アナログ回路部から出力されるオフセット電圧を支障なくキャンセルすることができる。このようにアナログ回路部の電気的オフセットを全てキャンセルするのではなく、オフセット補正手段で補正可能な範囲までに電気的オフセットを抑えるオフセット調整を行うことにより、アナログ回路部の電気的なオフセットを一度調整すれば、その後、ゲインコントロール回路のゲインが変化しても、電気的なオフセットを調整する必要がなくなるため、前記回路系の応答性を向上させることができると共に、前記一度のオフセット調整も簡単に行うことができる。
【発明の効果】
【００１９】
以上詳細に説明したように、本発明によれば、アナログ回路部の電気的オフセットを全てキャンセルするのではなく、アナログ回路部の後段のオフセット補正手段により補正可能な範囲までに電気的オフセットを抑え、残留するオフセットをオフセット補正手段で例えばディジタル処理して補正することにより、アナログ回路部のオフセット調整を短時間且つ一度で済ますことができるようにして、再生時の装置の応答性を向上させることができる。
【発明を実施するための最良の形態】
【００２０】
アナログ回路部のオフセット調整を短時間且つ一度で済ますことにより再生時の装置の応答性を向上させる目的を、光ピックアップからゲインコントロール回路までの電気的なオフセットを、ゲインコントロール回路の出力信号に含まれるオフセット電圧がオフセット補正手段のダイナミックレンジ内の目標電圧となるようなオフセット調整電圧を発生して調整することによって実現した。
【実施例１】
【００２１】
図１は、本発明の第１の実施の形態に係る光ディスク再生装置の構成を示したブロック図である。但し、従来例と同様の部分は同一符号を付して説明する。光ディスク再生装置は、光ピックアップ２、演算処理回路４、加算回路６、ゲインコントロール回路８、制御回路１０、オフセット調整回路１２、アナログ／ディジタル変換回路１４、ディジタル補正部１６を有している。但し、特許請求の範囲のゲインコントロール回路はゲインコントロール回路８に相当し、オフセット補正手段はディジタル補正部１６に相当し、オフセット調整電圧生成手段はオフセット調整回路１２に相当し、加算手段は加算回路６に相当する。
【００２２】
次に本実施の形態の動作について説明する。ディスク再生時、光ピックアップ２で拾った信号は、演算処理回路４により演算され、サーボをかけるのに必要なフォーカスエラー信号等のサーボエラー信号やディフェクト信号等を検出するＲＦＤＣ信号等の制御信号となる。これら制御信号は加算回路６でオフセット調整電圧を加算された後、振幅レベルが最適になるようにゲインコントロール回路８により増幅される。ゲインコントロール回路８により振幅レベルが最適になった制御信号はアナログ／ディジタル変換回路１４によりディジタル信号に変換され、このディジタル信号はディジタル補正部１６及び制御回路１０に入力される。
【００２３】
制御回路１０はアナログ／ディジタル変換回路１４から出力されるディジタル信号を監視し、光ピックアップ２内のフォトディテクタ回路（図示せず）、演算処理回路１４及びゲインコントロール回路８の電気的オフセット電圧を算出し、このオフセット電圧をキャンセルするオフセット調整電圧をオフセット調整回路１２より発生させて加算回路６に出力して演算処理回路４の出力信号に加算する。これにより、制御回路１０はゲインコントロール回路８までの電気的なオフセットを目標電圧範囲内、即ちディジタル補正部１６によるディジタル補正可能な範囲内に入るように調整する。
【００２４】
上記のオフセット調整による電気的オフセット電圧の残留分と光学的な原因で発生するサーボ最適点のずれについては、アナログ／ディジタル変換回路１４によってディジタル化された制御信号をディジタル補正部１６に入力してオフセットキャンセル処理することにより補正し、次段に出力する。
【００２５】
次に図２の等価回路を用いて図１に示した回路のオフセット調整動作について説明する。但し、図２中、Ｖｏｆｆｌは光ピックアップ２内のフォトディテクタＩＣ（図示せず）の出力オフセット電圧値と演算処理回路４の入力換算オフセット電圧値を加算した値を、ｋｌは演算処理回路４のゲインで固定ゲインの値を、Ｖｏｆｆ２はゲインコントロール回路８の入力換算オフセット電圧値を、ｋ２はゲインコントロール回路８のゲインで可変値を示している。また、Ｖｃａｌはオフセット調整回路１２から出力されるオフセット調整電圧、Ｖｏｆｆは最終的な出力オフセット電圧値を示している。
【００２６】
図２の場合、Ｖｏｆｆは以下の式（１）で表される。
【００２７】
【数１】
2005092999.tif 000003
【００２８】
ここで、ｋ２が最大ゲインｋ２ｍａｘ時の出力オフセットが目標オフセット電圧値内のオフセット電圧Ｖｏｆｆｍａｘとなるように、Ｖｃａｌを調整する。そのときのＶｃａｌは以下のように求められ、式（２）で表される。
【００２９】
【数２】
2005092999.tif 000004
【００３０】
式（２）で与えられるオフセット調整電圧Ｖｃａｌをｋ１の出力に加えることでオフセット調整を行い、その後ゲインをｋ２に変更する。そのときのオフセット電圧Ｖｏｆｆは、式（２）を式（１）に代入することにより式（３）で表される。
【００３１】
【数３】
2005092999.tif 000005
【００３２】
ｋ２＜ｋ２ｍａＸであるので、式（３）より常に｜Ｖｏｆｆ｜＜｜Ｖｏｆｆｍａｘ｜となる。即ち、図２の等価回路で示されるような装置においては、ゲインコントロール回路８の最大ゲインで目標電圧範囲内に入るようにオフセット調整を行えば、ゲインを下げた場合でも目標電圧範囲を外れることはない。
【００３３】
本実施の形態によれば、ゲインコントロール回路８の最大ゲイン時にアナログ／ディジタル変換回路１４の入力での電気的オフセット電圧が±Ｖｏｆｆｍａｘ内に入るようにオフセット調整を行えば、その後ゲインコントロール回路８のゲイン調整を行ってもオフセット電圧値は変動するが、常に｜Ｖｏｆｆ｜＜｜Ｖｏｆｆｍａｘ｜となり、アナログ／ディジタル変換回路１４の入力ダイナミックレンジに比べて±Ｖｏｆｆｍａｘの範囲を小さくしておくことにより、±Ｖｏｆｆｍａｘの範囲内で残留する電気的オフセット電圧はその後に行われる光学的な原因で発生するサーボ最適点のずれの補正と共にディジタル補正部１６により調整することができる。このため、一回だけ、上記のオフセット調整を行えば、以降はゲインコントロール回路８のゲイン調整を行ってもオフセット調整を行う必要がなくなり、光ディスク再生装置の応答性を向上させることができる。また、上記オフセット調整において、制御回路１０によりゲインコントロール回路８の最大ゲインｋ２ｍａｘ時の出力オフセットがオフセット電圧Ｖｏｆｆｍａｘとなるように、オフセット調整回路１２から出力されるオフセット電圧Ｖｃａｌを調整すれば良いため、上記１回のオフセット調整も極めて簡単に行うことができる。
【実施例２】
【００３４】
図３は、本発明の第２の実施の形態に係る光ディスク再生装置の構成を示したブロック図である。但し、図１に示した第１の実施の形態と同様の部分には同一符号を付し、適宜その説明を省略する。本例の光ディスク再生装置は、オフセット調整回路１２から出力されるオフセット電圧を演算処理回路４の入力側に印加する構成で、オフセット電圧を入力する位置が第１の実施の形態とは異なるだけで、他の構成は同様であり、同様の動作を行う。
【００３５】
次に本実施の形態のオフセット調整動作について図４の等価回路を用いて説明する。この場合は、Ｖｏｆｆは式（４）で表される。
【００３６】
【数４】
2005092999.tif 000006
【００３７】
ここで、ｋ２が最大ゲインのｋ２ｍａｘ時の出力オフセットが目標オフセット電圧値内のオフセット電圧Ｖｏｆｆｍａｘとなるように、Ｖｃａｌを調整する。そのときのＶｃａｌは以下のように求められ式（５）で示される。
【００３８】
【数５】
2005092999.tif 000007
【００３９】
この式（５）で与えられるオフセット調整電圧Ｖｃａｌを加えることでオフセット調整した後に、ゲインをｋ２に変更する。そのときのオフセット電圧Ｖｏｆｆは、式（５）を式（４）に代入することで得られ、式（６）で表される。
【００４０】
【数６】
2005092999.tif 000008
【００４１】
ｋ２＜ｋ２ｍａｘであるので、式（６）より常に｜Ｖｏｆｆ｜＜｜Ｖｏｆｆｍａｘ｜となる。即ち、図４の等価回路で示される装置においては、ゲインコントロール回路８の最大ゲインで目標電圧範囲内に入るようにオフセット調整を行えば、ゲインを下げた場合でも目標電圧範囲を外れることはない。
【００４２】
本実施の形態によれば、第１の実施の形態と同様に、ゲインコントロール回路８の最大ゲイン時にアナログ／ディジタル変換回路１４の入力での電気的オフセット電圧が±Ｖｏｆｆｍａｘ内に入るようにオフセット調整を行うことにより、第１の実施の形態と同様の効果がある。
【実施例３】
【００４３】
図５は、本発明の第３の実施の形態に係る光ディスク再生装置の構成を示したブロック図である。但し、図１に示した第１の実施の形態と同様の部分には同一符号を付し、適宜その説明を省略する。本例の光ディスク再生装置は、図３に示した第２の実施の形態の構成とほぼ同様であるが、ゲインコントロール回路８とアナログ／ディジタル変換回路１４との間に固定ゲインアンプ１８が挿入されているところが異なるだけで、同様の動作を行う。但し、特許請求の範囲の固定ゲインの増幅回路は固定ゲインアンプ１８に相当する。
【００４４】
次に本実施の形態のオフセット調整動作について図６の等価回路を用いて説明する。但し、図６中のＶｏｆｆ３は固定ゲインアンプ１８の入力換算オフセット電圧、ｋ３は固定ゲインアンプ１８のゲインを示している。この場合は、Ｖｏｆｆは以下の式（７）で表される。
【００４５】
【数７】
2005092999.tif 000009
【００４６】
ここで、同じようにｋ２が最大ゲインｋ２ｍａｘ時の出力オフセットが目標オフセット電圧値内のオフセット電圧ＶｏｆｆｍａＸとなるように、Ｖｃａｌを調整する。そのときのＶｃａｌは以下のように求められ、式（８）で示される。
【００４７】
【数８】
2005092999.tif 000010
【００４８】
式（８）を式（７）に代入すると、以下の式（９）を得ることができる。
【００４９】
【数９】
2005092999.tif 000011
【００５０】
この式（９）はゲインコントロール回路８のゲインをｋ２に変更したときのオフセット電圧を示している。この式（９）より、本実施の形態の装置の場合は、常に｜Ｖｏｆｆ｜＜｜Ｖｏｆｆｍａｘ｜とはならない。｜Ｖｏｆｆ｜＜｜Ｖｏｆｆｍａｘ｜となる範囲は式（９）より、Ｖｏｆｆｍａｘ＞0のとき式（１０），Ｖｏｆｆｍａｘ＜0のとき式（１１）で示される範囲となる。
【００５１】
【数１０】
2005092999.tif 000012
【００５２】
【数１１】
2005092999.tif 000013
【００５３】
これら式（１０）、式（１１）より、Ｖｏｆｆｍａｘ＞０のときには、−（ｋ２ｍａｘ＋ｋ２）／（ｋ２ｍａｘ−ｋ２）・Ｖｏｆｆｍａｘ＜ｋ３・Ｖｏｆｆ３＜Ｖｏｆｆｍａｘ
【００５４】
Ｖｏｆｆｍａｘ＜０のときには、Ｖｏｆｆｍａｘ＜ｋ３・Ｖｏｆｆ３＜−（ｋ２ｍａｘ＋ｋ２）／（ｋ２ｍａｘ−ｋ２）・Ｖｏｆｆｍａｘの範囲（図７に示した斜線の部分）であれば、｜Ｖｏｆｆ｜＜｜Ｖｏｆｆｍａｘ｜を満たすことになる。ここで（ｋ２ｍａｘ＋ｋ２）／（ｋ２ｍａｘ−ｋ２）＞1より、｜Ｖｏｆｆｍａｘ｜＞｜ｋ３・Ｖｏｆｆ３｜であれば常に｜Ｖｏｆｆ｜＜｜Ｖｏｆｆｍａｘ｜を満たす。よって、ゲインコントロール回路８の後に固定ゲインアンプ１８が挿入された装置では、最後に接続される固定ゲインアンプ１８固有のオフセット電圧、即ち、ｋ３・Ｖｏｆｆ３が±Ｖｏｆｆｍａｘより小さくなるように固定ゲインアンプ１８を設計しておけば、常に｜Ｖｏｆｆ｜＜｜Ｖｏｆｆｍａｘ｜となる。
【００５５】
本実施の形態によれも、第１の実施の形態と同様に、ゲインコントロール回路８の最大ゲイン時にアナログ／ディジタル変換回路１４の入力での電気的オフセット電圧が±Ｖｏｆｆｍａｘ内に入るようにオフセット調整を行うことにより、第１の実施の形態と同様の効果を得ることができる。
【００５６】
尚、本実施の形態ではオフセット調整回路１２から出力されるオフセット調整電圧を光ピックアップ２の出力信号に加算してオフセット調整する構成であるが、オフセット調整電圧を演算処理回路４の出力に加算して調整する構成としても同様の効果がある。
【００５７】
また、本発明は上記実施の形態に限定されることなく、その要旨を逸脱しない範囲において、具体的な構成、機能、作用、効果において、他の種々の形態によっても実施することができる。例えば、上記実施の形態では、本発明を光ディスク再生装置の再生回路に適用したが、光ピックアップのような電気的なオフセット以外の別のオフセットを有する部品の出力信号を処理する回路で、最後に前記別のオフセットを補正する手段がついているものであれば、本発明を適用して同様の効果を得ることができる。
【図面の簡単な説明】
【００５８】
【図１】本発明の第１の実施の形態に係る光ディスク再生装置の構成を示したブロック図である。
【図２】図１に示した装置の等価回路図である。
【図３】本発明の第２の実施の形態に係る光ディスク再生装置の構成を示したブロック図である。
【図４】図３に示した装置の等価回路図である。
【図５】本発明の第３の実施の形態に係る光ディスク再生装置の構成を示したブロック図である。
【図６】図５に示した装置の等価回路図である。
【図７】図５の等価回路における最終的オフセット電圧が目標オフセット電圧の範囲内にある領域を示した図である。
【図８】従来の光ディスク再生装置の構成例を示したブロック図である。
【符号の説明】
【００５９】
２……光ピックアップ、４……演算処理回路、６……加算回路、８……ゲインコントロール回路、１０……制御回路、１２……オフセット調整回路、１４……アナログ／ディジタル変換回路、１６……ディジタル補正部、１８……固定ゲインアンプ。
【図１】
2005092999.tif 000014
【図２】
2005092999.tif 000015
【図３】
2005092999.tif 000016
【図４】
2005092999.tif 000017
【図５】
2005092999.tif 000018
【図６】
2005092999.tif 000019
【図７】
2005092999.tif 000020
【図８】
2005092999.tif 000021